(57)【要約】【課題】地震による地面の移動を抑制するために設けられている溝の上面を覆い、地震発生時にも溝が開口するのを効果的に防止することのできる免震装置を提供する。【解決手段】地面に形成された溝を覆蓋する蓋体と、前記溝の両側縁部で前記蓋体を支持する支持装置とからなる。前記蓋体の外縁部は上面側が広く底面側が狭くなるような傾斜面として形成され、中央部には下面側に突出する軸が設けられ、平面視Ｘ状に交差させた一対のロッドの中心部が前記軸に水平面内で回動自在に支持され、前記支持装置は、前記蓋体を載置する支持フレームと、前記Ｘ状に交差する一対のロッドの端部が係合し、該ロッドの溝方向の移動を案内するレールと、前記支持フレームの外側端部に設けられ蓋体を持ち上げるように作用する傾斜面を有する蓋体持ち上げ部とを備えている。【選択図】        図１
2004211371.tif 000002
【特許請求の範囲】
【請求項１】
地面に形成された溝を覆蓋する蓋体と、前記溝の両側縁部に形成された段部に設置されて前記蓋体を支持する支持装置とで構成され、前記蓋体の外縁部は上面側が広く底面側が狭くなるような傾斜面として形成され、中央部には下面側に突出する軸が設けられ、平面視Ｘ状に交差させた一対のロッドの中心部が前記軸に水平面内で回動自在に支持され、前記支持装置は、前記蓋体を載置する支持フレームと、前記Ｘ状に交差する一対のロッドの端部が係合し、該ロッドの溝方向の移動を案内するレールと、前記支持フレームの外側端部に設けられ蓋体を持ち上げるように作用する傾斜面を有する蓋体持ち上げ部とを備えていることを特徴とする免震装置。
【請求項２】
Ｘ状のロッドの端部にそれぞれローラが取り付けられ、該ローラが断面箱状のレール内に転動自在に保持されている請求項１に記載の免震装置。
【発明の詳細な説明】
【０００１】
【発明の属する技術分野】
本発明は、地震による地面の移動を抑制するために設けられている溝の上面を覆い、地震発生時にも溝が開口するのを防止するために使用される免震装置に関するものである。
【０００２】
【従来の技術】
建築物等の間隔部には、地震による地面の移動を抑制するための溝が設けられることが多くなっている。この溝は、幅が例えば６５０ｍｍであり、この溝幅が±５００ｍｍだけ拡縮することを想定して設けられている。この溝は、開口したままであると歩行者が転落する恐れがあるので、常時は蓋体で覆蓋しているが、地震の発生によって溝幅が広がった場合や狭まった場合にも開口を覆蓋している必要がある。
【０００３】
【発明が解決しようとする課題】
上記溝を覆蓋する蓋体は、通行の邪魔にならないように、上面が地面と同レベルであるのが望ましく、しかも、常時は簡単に移動しないように確実に固定されている必要がある。一方、地震による巨大な力が作用した時は、溝幅が拡縮するが、このとき蓋体が押し曲げられて隆起したり、溝内に落ち込んだりしないものでなければならない。
【０００４】
このような免震用の溝の開口部を覆蓋する装置として、種々のものが試みられているが、構造的に複雑で高価なものとなったり、強度的に問題があったりして、いまだ満足できる実用的なものは得られていないのが現状である。そこで本発明は、この種の免震用の溝の開口部を地震発生時にも確実に覆蓋することができ、しかも構造が簡単な装置を提供することを課題としている。
【０００５】
【課題を解決するための手段】
上記課題を解決するため、本発明は次のような構成を採用した。すなわち、本発明にかかる免震装置は、地面に形成された溝を覆蓋する蓋体と、前記溝の両側縁部に形成された段部に設置されて前記蓋体を支持する支持装置とで構成され、前記蓋体の外縁部は上面側が広く底面側が狭くなるような傾斜面として形成され、中央部には下面側に突出する軸が設けられ、平面視Ｘ状に交差させた一対のロッドの中心部が前記軸に水平面内で回動自在に支持され、前記支持装置は、前記蓋体を載置する支持フレームと、前記Ｘ状に交差する一対のロッドの端部が係合し、該ロッドの溝方向の移動を案内するレールと、前記支持フレームの外側端部に設けられ蓋体を持ち上げるように作用する傾斜面を有する蓋体持ち上げ部とを備えていることを特徴としている。
【０００６】
【発明の実施の形態】
以下、図面に表された本発明の実施形態について説明すると以下の通りである。この免震装置１は、免震用に掘られた溝Ｍの開口部を覆蓋するために設置されるもので、該溝の開口部を覆う蓋体２と、該蓋体を支持する支持装置３とで構成される。これら蓋と支持装置の組合せは、複数組が溝に沿って直列にならべられていて、複数の蓋で溝の上部を覆うようになっている。
【０００７】
蓋体２は、厚さ数十ｍｍの平面視方形の板状であり、その両側縁部４，４は上側が広く下側が狭くなるような傾斜面として形成されている。蓋体２の中央部には、上下方向の軸５が上下に摺動自在に挿通されており、蓋体２の下側には、平面視Ｘ状に交差させた一対のロッド７，７が設けられ、該ロッドの交差部に前記軸５が回転自在に取り付けられている。これらロッドの両端部には、上下一対のローラ９，９がそれぞれ回転自在に軸支されている。
【０００８】
支持装置３は、溝の左右で対称的に設けられている。溝Ｍの側縁部には、該溝に沿ってに段状に切り込まれた受け部１０が設けられ、この受け部１０に前記支持装置３が設置されている。支持装置３は、溝Ｍの側縁部に設けられたレール１２と、前記蓋体２が載置される支持フレーム１５と、該支持フレームの外縁部に設けられた傾斜面１６付きの蓋体持ち上げ部１７とを備えている。
【０００９】
蓋持ち上げ部１７の傾斜面１６は、前記蓋体２の側面の傾斜面４が適合するほぼ同角度の傾斜面であり、蓋体２がこの傾斜面に沿って摺動可能である。なお、支持フレーム１５の上面には蓋体２がその上面をスライドするカバー１８が被せられている。支持フレーム１５の内側端部に設けられているレール１２は、溝側に開口部１２ａが設けられた断面箱型であり、該開口部１２ａから挿入されたロッド７の端部に縦軸８が取り付けられ、該縦軸の上下に前記ローラ９，９が取り付けられている。
【００１０】
つぎに、この免震装置１の動作について説明する。この免震装置１は、常時は蓋体２が支持フレーム１５のカバー１８上に載置された状態で、その上面が地面と同一面となるように固定されている。この状態では、図５に示すように溝Ｍの開口部は蓋体２によって完全に覆われているので、歩行者や車の通行の邪魔にならない。
【００１１】
地震が発生して、溝の部分に圧縮方向の巨大な力が作用したときは、溝Ｍの幅が押し狭められるので、両側の支持装置３，３が互いに接近する。すると、支持フレーム１５の外側端部に設けられている蓋持ち上げ部１７の傾斜面１６に蓋体３の側部の傾斜面４が当接し、両傾斜面の作用によって蓋体３に押し上げ方向の力が加わり、蓋体３が傾斜面１６に沿ってずり上がる（図６参照）。さらに溝幅が狭まると、ついには図７に示すように、蓋体３が完全に支持フレームの上方に持ち上げられ、支持フレーム１５の端部上、すなわち傾斜面１６の最上部をなす端部フレーム１５ａ上に乗り上げた状態で支持される。
【００１２】
このように、溝幅が狭まり、両側の支持装置３，３が互いに接近した状態では、蓋体２が両側の支持装置も最も高い端部フレーム１５ａ，１５ａ上に乗り上げた状態となるが、両側の支持装置３，３は対称的であり、端部フレーム１５ａ，１５ａの高さも等しいので、蓋体は水平に支持され、溝Ｍの開口部は完全に覆われている。また、蓋体２の下側に取り付けられているＸ状のロッド７，７は、中央部が軸５によって回転自在に支持され、それぞれの端部は支持装置３，３のレール１２，１２に嵌め込んだ状態で転動するので、蓋体は常に両支持装置の中央に支持される。
【００１３】
逆に、溝Ｍの位置に地震による引張り方向の力が作用した場合は、溝幅が広がる。このときは、蓋体３と下側の支持フレーム１５が相対移動するが、この場合は、蓋体３が支持フレーム１５のカバー１８上をスライドするだけで、依然として該支持フレーム１５によって支持され、溝Ｍの開口部は蓋体で覆われた状態が保たれる。このときも、上記Ｘ状のロッド７，７の作用により、蓋体２は両側の支持装置３，３の中央部に支持されれ、位置ズレしない。
【００１４】
この免震装置１は、溝の両側に設置した支持装置３，３と、該支持装置３上に載置された蓋体２とで構成される簡単な構造であるから、比較的安価であり、構造的にも堅牢なものとすることができる。また、Ｘ状に組み合わせたロッドの作用により、圧縮力が作用する時も引張り力が作用する時も常に蓋体が両支持装置の中央に支持されるので、溝が確実にカバーされる。
【００１５】
【発明の効果】
以上の説明から明らかなように、本発明にかかる免震装置は、簡単な構造ながら、地震による巨大な力が作用した時も溝の開口部を完全に覆蓋できるようになった。
【図面の簡単な説明】
【図１】本発明の免震装置の一部を省略した断面図である。
【図２】その平面図である。
【図３】ロッド取付け部の正面図である。
【図４】ロッド取付け部の側面図である。
【図５】免震装置の動作を表す正面図である。
【図６】免震装置の動作を表す正面図である。
【図７】免震装置の動作を表す正面図である。
【符号の説明】
１      免震装置
２      蓋体
３      支持装置
５      軸
７      ロッド
１２      レール
１５      支持フレーム
１６      傾斜面
【図１】
2004211371.tif 000003
【図２】
2004211371.tif 000004
【図３】
2004211371.tif 000005
【図４】
2004211371.tif 000006
【図５】
2004211371.tif 000007
【図６】
2004211371.tif 000008
【図７】
2004211371.tif 000009